(57)【要約】【課題】本発明は、解析に要する工程を少なくすることにより、解析時間の短縮および作業の簡素化を実現でき、さらに解析結果の精度も向上させることができる変異遺伝子分離用電気泳動装置を提供することを目的とする。【解決手段】本発明の変異遺伝子分離用電気泳動装置は、密閉流路の中に、リニアポリマーとＤＮＡ結合制御剤を含む緩衝液を充たし、相同性の程度の差から１本鎖試料ＤＮＡを正常ＤＮＡと変異ＤＮＡとに分離する分離用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配した構成とした。【選択図】  図８
2004298001.tif 000002
【特許請求の範囲】
【請求項１】
密閉流路の中に、リニアポリマーとＤＮＡ結合制御剤を含む緩衝液を充たし、１本鎖試料ＤＮＡと水素結合可能な相同塩基配列を有する１本鎖ＤＮＡと、高分子の物質とが結合した分離用ＤＮＡコンジュゲートであって、相同性の程度の差から前記１本鎖試料ＤＮＡを正常ＤＮＡと変異ＤＮＡとに分離する分離用ＤＮＡコンジュゲートを備えた、電気泳動を行う変異遺伝子分離用電気泳動装置であって、
前記分離用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配したことを特徴とする変異遺伝子分離用電気泳動装置。
【請求項２】
前記密閉流路の精製用ＤＮＡコンジュゲートの前段に、２本鎖試料ＤＮＡを加温する加熱装置を備え、泳動中の２本鎖試料ＤＮＡを１本鎖に分離することを特徴とする請求項１に記載の変異遺伝子分離用電気泳動装置。
【請求項３】
密閉流路の中に、リニアポリマーとＤＮＡ結合制御剤を含む緩衝液を充たし、１本鎖試料ＤＮＡと水素結合可能な相同塩基配列を有する１本鎖ＤＮＡと、高分子の物質とが結合した分離用ＤＮＡコンジュゲートであって、相同性の程度の差から前記１本鎖試料ＤＮＡを正常ＤＮＡと変異ＤＮＡとに分離する分離用ＤＮＡコンジュゲートを備えた、電気泳動を行う変異遺伝子分離用電気泳動装置であって、
前記分離用ＤＮＡコンジュゲートの前段に、分離しようとする１本鎖試料ＤＮＡを相補し捕捉する、前記分離用ＤＮＡコンジュゲートの塩基配列よりも長鎖の塩基配列を有した１本鎖ＤＮＡと、高分子の物質とが結合した定量用ＤＮＡコンジュゲートを配し、
前記密閉流路の前記定量用ＤＮＡコンジュゲートが充填された部分を加温する加熱装置を備えたことを特徴とする変異遺伝子分離用電気泳動装置。
【請求項４】
前記定量用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配したことを特徴とする請求項３に記載の変異遺伝子分離用電気泳動装置。
【請求項５】
前記密閉流路の精製用ＤＮＡコンジュゲートの前段に、２本鎖試料ＤＮＡを加温する加熱装置を備え、泳動中の２本鎖試料ＤＮＡを１本鎖に分離することを特徴とする請求項４に記載の変異遺伝子分離用電気泳動装置。
【請求項６】
前記ＤＮＡコンジュゲートがビニル化したＤＮＡであることを特徴とする請求項１〜５のいずれか１項に記載の変異遺伝子分離用電気泳動装置。
【請求項７】
前記密閉流路が内径５０〜１００μｍのフューズドシリカ製キャピラリー管であることを特徴とする請求項１〜６のいずれか１項に記載の変異遺伝子分離用電気泳動装置。
【請求項８】
前記密閉流路が溝のある板と紫外線が９０％以上透過する板との組み合わせであることを特徴とする請求項１〜７のいずれか１項に記載の変異遺伝子分離用電気泳動装置。
【請求項９】
前記分離用ＤＮＡコンジュゲートに置換して、１本鎖試料ＤＮＡと水素結合可能な相同塩基配列を有する１本鎖分離用ＤＮＡを前記密閉流路の壁面に固定したことを特徴とする請求項１〜８のいずれか１項に記載の変異遺伝子分離用電気泳動装置。
【請求項１０】
前記精製用ＤＮＡコンジュゲートに置換して、分離しようとする１本鎖試料ＤＮＡの測定には用いない側の１本鎖ＤＮＡを相補し捕捉する塩基配列を有した１本鎖精製用ＤＮＡを前記密閉流路の壁面に固定したことを特徴とする請求項１，２，４〜９のいずれか１項に記載の変異遺伝子分離用電気泳動装置。
【請求項１１】
前記定量用ＤＮＡコンジュゲートに置換して、分離しようとする１本鎖試料ＤＮＡを相補し捕捉する、前記分離用ＤＮＡコンジュゲートの塩基配列、或いは、前記密閉流路の壁面に固定された１本鎖分離用ＤＮＡよりも長鎖の塩基配列を有した１本鎖定量用ＤＮＡを前記密閉流路の壁面に固定したことを特徴とする請求項３〜１０のいずれか１項に記載の変異遺伝子分離用電気泳動装置。
【発明の詳細な説明】
【０００１】
【発明の属する技術分野】
本発明は、遺伝子変異の有無を簡単、正確に検出できる遺伝子診断装置、及び遺伝子診断方法にあって、特に遺伝子の電気泳動を行う密閉流路内にあって、測定に用いる２本鎖試料ＤＮＡの１本鎖化、変異の有無判定のために用いる１本鎖試料ＤＮＡの定量化、２本鎖試料ＤＮＡにおいて判定に用いない不必要な１本鎖相補ＤＮＡを分離し必要な１本鎖試料ＤＮＡのみに精製することを可能にする変異遺伝子分離用電気泳動装置に関する。
【０００２】
【従来の技術】
近年、分子生物学あるいは遺伝子操作技術の急速な進展によって、様々な疾患において遺伝的要素、すなわち遺伝子の関与がかなり正確に解明されるようになり、遺伝子をターゲットにした医療に注目が集まるようになってきている。
【０００３】
現在、最も注目されているのはＳＮＰ（スニップス）と呼ばれるものである。これは、ｓｉｎｇｌｅ  ｎｕｃｌｅｏｔｉｄｅ  ｐｏｌｙｍｏｒｐｈｉｓｍの略で「１塩基多型」と一般に訳されており、個人間の遺伝子における１暗号（１塩基）の違いの総称である。
【０００４】
この１塩基の違いを解析することで、各個人の疾病を発症するリスクの大きさや、薬剤に対する感受性や副作用を起こす危険性の大きさなどをあらかじめ知ることが可能になると言われており、さらに個人の識別にも応用が可能であることが証明されている。
【０００５】
上記のような様々な有益な利用法があることから、ＳＮＰを正確かつ簡便に解析する技術あるいは装置の開発が望まれ、多くの研究者により種々の方法が検討され報告されている。
【０００６】
さらにＳＮＰの解析のみならず、遺伝子の変異を簡便に解析できる方法や装置の開発は、医学や分子生物学の研究の進展にも幅広く貢献することが期待されている。
【０００７】
ＳＮＰ遺伝子あるいは広い意味での変異遺伝子を解析・検出する方法として、最も一般的に行われている確実な方法としては、シーケンス法（サンガー法）と呼ばれているものがある。この方法は、ヒトゲノムプロジェクトにも利用された方法で、ＤＮＡの塩基配列を端から順番に読んでいく方法である。しかしながら、この方法は、非常に複雑な操作あるいは高価な装置を必要とし、ランニングコストも高い。その他にも、１本鎖ＤＮＡの立体構造の違いを利用して、電気泳動速度の微妙な違いを観察することによって遺伝子の変異の有無を解析するＳＳＣＰ法があるが、正確性に問題があると言われている。最近、簡便かつ正確なＳＮＰあるいは変異遺伝子の解析を目指して非常に数多くの解析方法が開発され、報告がなされるようになった。
【０００８】
ＳＮＰ解析技術における従来の技術のひとつとして、（特許文献１）を参照にして以下に示す。本文献に記載されている技術のように、ＤＮＡにリニアポリマーを結合させた分離用ＤＮＡコンジュゲートを用い、同じ塩基数（ほぼ同分子量）でありながら一塩基あるいはそれ以上の塩基が異なっている２種類以上の１本鎖ＤＮＡを、分離用ＤＮＡコンジュゲートのＤＮＡ塩基配列に対する相互作用（アフィニティー）の違いを利用して電気泳動速度に差を生じさせ、正常遺伝子と変異遺伝子との異同識別を行うことのできる「コンジュゲート法」がある。
【０００９】
【特許文献１】
特開２００２−３４０８５８号公報
【００１０】
【発明が解決しようとする課題】
上記、「コンジュゲート法」でＳＮＰ解析を行う場合において、変異の有無を調べるための１本鎖試料ＤＮＡをキャピラリー管または板状部材に形成された微細密閉流路のような電気泳動用密閉流路にて電気泳動するが、正確な結果を得るためには密閉流路内に供給する１本鎖試料ＤＮＡの量をある一定の範囲内に収める必要がある。
【００１１】
もちろん、供給しようとする試料ＤＮＡの濃度をあらかじめ測定し、加圧または吸引あるいは一定時間の電気泳動等によって、供給する試料ＤＮＡの量を一定化することは可能であるが、現在行っている方法よりさらに簡便な方法で試料ＤＮＡの供給量を一定化できれば、より有用な装置を提供することが可能になる。
【００１２】
本発明は、ＳＮＰをはじめとした変異遺伝子解析のために、電気泳動用密閉流路に目的の試料ＤＮＡを定量的に供給するため、それに加えて密閉流路内で２本鎖ＤＮＡの１本鎖化すること、そして解析に無関係な遺伝子や種々のノイズを除去することができるようになされたものであり、解析に要する工程を少なくすることにより、解析時間の短縮および作業の簡素化を実現でき、さらに解析結果の精度も向上させることができる変異遺伝子分離用電気泳動装置を提供することを目的としたものである。
【００１３】
【課題を解決するための手段】
上記課題を解決するために、本発明の変異遺伝子分離用電気泳動装置は、密閉流路の中に、リニアポリマーとＤＮＡ結合制御剤を含む緩衝液を充たし、１本鎖試料ＤＮＡと水素結合可能な相同塩基配列を有する１本鎖ＤＮＡと、高分子の物質とが結合した分離用ＤＮＡコンジュゲートであって、相同性の程度の差から１本鎖試料ＤＮＡを正常ＤＮＡと変異ＤＮＡとに分離する分離用ＤＮＡコンジュゲートを備えた、電気泳動を行う変異遺伝子分離用電気泳動装置であって、分離用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配した構成とした。
【００１４】
【発明の実施の形態】
請求項１に記載の発明は、密閉流路の中に、リニアポリマーとＤＮＡ結合制御剤を含む緩衝液を充たし、１本鎖試料ＤＮＡと水素結合可能な相同塩基配列を有する１本鎖ＤＮＡと、高分子の物質とが結合した分離用ＤＮＡコンジュゲートであって、相同性の程度の差から１本鎖試料ＤＮＡを正常ＤＮＡと変異ＤＮＡとに分離する分離用ＤＮＡコンジュゲートを備えた、電気泳動を行う変異遺伝子分離用電気泳動装置であって、分離用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配したことを特徴とする。
【００１５】
請求項２に記載の発明は、密閉流路の精製用ＤＮＡコンジュゲートの前段に、２本鎖試料ＤＮＡを加温する加熱装置を備え、泳動中の２本鎖試料ＤＮＡを１本鎖に分離することを特徴とする。
【００１６】
請求項３に記載の発明は、密閉流路の中に、リニアポリマーとＤＮＡ結合制御剤を含む緩衝液を充たし、１本鎖試料ＤＮＡと水素結合可能な相同塩基配列を有する１本鎖ＤＮＡと、高分子の物質とが結合した分離用ＤＮＡコンジュゲートであって、相同性の程度の差から１本鎖試料ＤＮＡを正常ＤＮＡと変異ＤＮＡとに分離する分離用ＤＮＡコンジュゲートを備えた、電気泳動を行う変異遺伝子分離用電気泳動装置であって、分離用ＤＮＡコンジュゲートの前段に、分離しようとする１本鎖試料ＤＮＡを相補し捕捉する、前記分離用ＤＮＡコンジュゲートの塩基配列よりも長鎖の塩基配列を有した１本鎖ＤＮＡと、高分子の物質とが結合した定量用ＤＮＡコンジュゲートを配し、密閉流路の定量用ＤＮＡコンジュゲートが充填された部分を加温する加熱装置を備えたことを特徴とする。
【００１７】
請求項４に記載の発明は、定量用ＤＮＡコンジュゲートの前段に、分離しようとする１本鎖試料ＤＮＡの測定には用いない側の１本鎖ＤＮＡを相補し捕捉する塩基配列を有した１本鎖ＤＮＡと、高分子の物質とが結合した精製用ＤＮＡコンジュゲートを配したことを特徴とする。
【００１８】
請求項５に記載の発明は、密閉流路の精製用ＤＮＡコンジュゲートの前段に、２本鎖試料ＤＮＡを加温する加熱装置を備え、泳動中の２本鎖試料ＤＮＡを１本鎖に分離することを特徴とする。
【００１９】
請求項６に記載の発明は、ＤＮＡコンジュゲートがビニル化したＤＮＡであることを特徴とする。
【００２０】
請求項７に記載の発明は、密閉流路が内径５０〜１００μｍのフューズドシリカ製キャピラリー管であることを特徴とする。
【００２１】
請求項８に記載の発明は、密閉流路が溝のある板と紫外線が９０％以上透過する板との組み合わせであることを特徴とする。
【００２２】
請求項９に記載の発明は、分離用ＤＮＡコンジュゲートに置換して、１本鎖試料ＤＮＡと水素結合可能な相同塩基配列を有する１本鎖分離用ＤＮＡを密閉流路の壁面に固定したことを特徴とする。
【００２３】
請求項１０に記載の発明は、精製用ＤＮＡコンジュゲートに置換して、分離しようとする１本鎖試料ＤＮＡの測定には用いない側の１本鎖ＤＮＡを相補し捕捉する塩基配列を有した１本鎖精製用ＤＮＡを前記密閉流路の壁面に固定したことを特徴とする。
【００２４】
請求項１１に記載の発明は、定量用ＤＮＡコンジュゲートに置換して、分離しようとする１本鎖試料ＤＮＡを相補し捕捉する、分離用ＤＮＡコンジュゲートの塩基配列、或いは、密閉流路の壁面に固定された１本鎖分離用ＤＮＡよりも長鎖の塩基配列を有した１本鎖定量用ＤＮＡを前記密閉流路の壁面に固定したことを特徴とする。
【００２５】
まず、本発明の実施の形態における変異遺伝子分離用電気泳動装置について、その装置構成の一例を説明する。なお、本発明の変異遺伝子分離用電気泳動装置の装置は、従来の技術で説明した「コンジュゲート法」における（特許文献１）に記載された装置と基本構成は同様である。
【００２６】
図１４は本発明の実施の形態における変異遺伝子分離用電気泳動装置の装置構成概念図である。
【００２７】
図１４において、２０は電気泳動を行うための電気泳動部、２１は電気泳動を行うための制御や検出部２２の制御を行い、検出したデータを演算する基板等で構成される制御演算部である。検出部２２は、Ｄ２ランプ２２ａ、フォトダイオード２２ｂ、プリアンプ２２ｃ、Ａ／Ｄコンバータ２２ｄを備え、Ｄ２ランプ２２ａから紫外線を照射し、これをフォトダイオード２２ｂで受光し、ＤＮＡの存在が吸光度として検知される。また、２３は電源部である。
【００２８】
更に、２４は電気泳動における電荷の運搬と試料ＤＮＡ等のｐＨを安定させるための緩衝液であり、２５は緩衝液２４を収容する陰極側の容器、２６は緩衝液２４を収容する陽極側の容器である。
【００２９】
また、２７は電気泳動のときに試料ＤＮＡを泳動するための密閉流路であり、本実施の形態ではキャピラリー管を例に説明する。２８，２９は電極であり、容器２５の緩衝液２４の中には電極２８が浸漬され、容器２６の緩衝液２４の中に電極２９が浸漬される。容器２５と容器２６とは、密閉流路２７によって連通され、この密閉流路２７内も緩衝液２４で満たされる。
【００３０】
本発明の実施の形態における変異遺伝子分離用電気泳動装置では、ＤＮＡの種類や濃度、処理条件ごとに異なった最適印加電圧値が存在するため、後述する、試料ＤＮＡから変異ＤＮＡと正常ＤＮＡとを分離するのに最も適した泳動が行えるように、制御演算部２１が電源部２３を制御して最も高分解能の分離が行える電圧に調整する。
【００３１】
密閉流路２７には、分離用ＤＮＡコンジュゲート、試料ＤＮＡ等が導入され、電気泳動が行われる。密閉流路２７には、ＤＮＡ結合制御剤とリニアポリマーを緩衝液２４に添加したリニアポリマーゲルが導入される。このリニアポリマーゲルは、電気泳動時に試料ＤＮＡが早い速度で泳動しないように泳動を邪魔する働きを持つものである。この働きにより、試料ＤＮＡは分離用ＤＮＡコンジュゲートと密閉流路２７内で充分遭遇する機会を持つことが可能となる。また、容器２５と容器２６とは密閉流路２７によって連通され、この密閉流路２７内も緩衝液２４で満たされているので、分離用ＤＮＡコンジュゲートにも緩衝液２４が液のベースとして混入しており、密閉流路２７中全ての部分で同じ濃度の緩衝液２４が存在している。電極２８と電極２９間に電圧を印加すると、密閉流路２７内に電気泳動が誘発される。分離用ＤＮＡコンジュゲートと試料ＤＮＡは負に帯電しているため、容器２５側から容器２６側へ分離用ＤＮＡコンジュゲートと試料ＤＮＡが移動するが、分離用ＤＮＡコンジュゲートには分子量が大きい高分子物質がついているため、電気泳動によって試料ＤＮＡの移動量と比較するとほとんど移動はしない。なお、このことは、定量用ＤＮＡコンジュゲート、或いは、精製用ＤＮＡコンジュゲートについても同様である。
【００３２】
密閉流路２７の一例としてのキャピラリー管について説明すると、キャピラリー管にゲルを入れて電気泳動を行うと、電気浸透流と呼ばれる液の流れが発生してしまうため、この現象が起きないようにする必要がある。このためキャピラリー管の内壁をアクリルアミドなどでコーティングするのがよい。電気浸透流の発生が阻止できるならコーティング方法は他の方法でもよい。例えば、一般に販売されているコーティングキャピラリー管を使用するのでもよい。なお、キャピラリー管１９としては内径５０〜１００μｍのフューズドシリカ製キャピラリー管が、紫外線を９０％以上透過でき、且つ後述するように紫外線を利用してＤＮＡを検出するとき、紫外線の通過量を容易に検出できるから最も適当である。
【００３３】
更に、溝のある板と、紫外線が９０％以上透過する板との組み合わせでキャピラリー管に相当する密閉流路２７を構成しても、紫外線を９０％以上透過でき、紫外線の通過量を検出することで変異ＤＮＡの検出を容易に行うことができる。なお、溝のある板を紫外線が透過可能な板にした場合は透過光を検出し、溝のある板を紫外線が不透過の板にした場合は、変異ＤＮＡを反射光で検出する。反射光を検出する場合には溝形状を均一な反射面とするため矩形断面にする等の工夫が必要である。
【００３４】
容器２５，２６の中や密閉流路２７に収容する緩衝液２４は、Ｔｒｉｓ−Ｂｏｒａｔｅ（ｐＨ７．２〜ｐＨ８程度）緩衝液等を利用するのが適当である。また、緩衝液２４に必要に応じて混入されるＤＮＡ結合制御剤としては、分離用ＤＮＡコンジュゲートに対するＤＮＡの結合を促進する塩化マグネシウム等の結合促進剤と、離脱を促す尿素等の離脱剤の２種類が存在する。この２種類のＤＮＡ結合制御剤は、２種類の混合割合や、物質（例えば、結合促進剤として他の電解質）を選ぶことで、ＤＮＡに対する多様な泳動速度の制御が可能になるものである。リニアポリマーゲルに含まれるリニアポリマーとしては、ポリアクリルアミドを用いることができ、これは分離用ＤＮＡコンジュゲートのコンジュゲート作成にも利用されるため、相性がよく適当である。
【００３５】
次に、密閉流路２７への充填順序であるが、先ず、密閉流路２７内にリニアポリマーとＤＮＡ結合制御剤と緩衝液２４を含んだリニアポリマーゲルを導入し、続いて、分離用ＤＮＡコンジュゲートを加える。その後、定量用ＤＮＡコンジュゲート、或いは、精製用ＤＮＡコンジュゲートを導入し、更に、緩衝液２４、純水で希釈した試料ＤＮＡを導入して電気泳動する。なお、導入されるリニアポリマーゲルは、その導入順序等を含め適宜調整することができる。
【００３６】
本発明の実施の形態における変異遺伝子分離用電気泳動装置では、分離用ＤＮＡコンジュゲートを作成するのにアクリルアミドとＤＮＡを重合させているため、ＤＮＡとの重量差、構造差は大きく、例えば、分離用ＤＮＡコンジュゲートの泳動速度（０．６ｃｍ／分〜０．７ｃｍ／分）は、試料ＤＮＡの最適の泳動速度（１３ｃｍ／分〜２０ｃｍ／分）の１／２０〜１／３０程度であって、非常に動きが鈍く相対的に擬似的に固定されているといってもよいような状態が実現される。
【００３７】
続いて、本発明の実施の形態における変異遺伝子分離用電気泳動装置の動作について説明する。先ず、密閉流路２７に、リニアポリマーゲル、分離用ＤＮＡコンジュゲート、定量用ＤＮＡコンジュゲート、或いは、精製用ＤＮＡコンジュゲート、緩衝液２４、試料ＤＮＡを導入し、両端に容器２５，２６内の緩衝液２４を浸す。そして、電極２８と電極２９間に電源部２３によって所定電圧を印加する。なお、密閉流路２７に導入した試料ＤＮＡは負に帯電しており陽極側に進むため、電源部２３は電極２９を正電位、電極２８を負電位になるように印加する。
【００３８】
ここで、密閉流路２７に、電気泳動方向に対して、分離用ＤＮＡコンジュゲート、定量用ＤＮＡコンジュゲート、精製用ＤＮＡコンジュゲートの順に導入されている場合（図１１参照）、試料ＤＮＡは、まず、精製用ＤＮＡコンジュゲートの作用を受け、次に、定量用ＤＮＡコンジュゲートの作用、更に、分離用ＤＮＡコンジュゲートの作用を受けながら電気泳動される。これらは概ね電気泳動部２０で行われるように調整される。そして、精製、定量、分離が行われた正常ＤＮＡと、変異ＤＮＡがそれぞれ検出部２２で検出される。なお、試料ＤＮＡにおける正常ＤＮＡと変異ＤＮＡでは、分離用ＤＮＡコンジュゲートによって、泳動速度の差が生じる。この泳動速度の差は、それぞれのＤＮＡが検出部２２で検出される泳動開始時間からの経過時間の差となって現れる。即ち、分離用ＤＮＡコンジュゲートの作用を受けた一方のＤＮＡは泳動速度が遅くなるので、作用を受けない他方のＤＮＡよりも時間的に後で検出される。
【００３９】
検出部２２では、Ｄ２ランプ２２ａから波長２６０ｎｍの紫外線を照射し、このとき得られる紫外線照射光をフォトダイオード２２ｂで検出し、吸光度を測定する。制御演算部２１によって電源部２３を制御してＤ２ランプ２２ａを発光させ、フォトダイオード２２ｂで検出した電流はプリアンプ２２ｃで増幅し、Ａ／Ｄコンバータ２２ｄでデジタル量として吸光度に制御演算部２１で換算される。制御演算部２１はタイマ（図示しない）を内蔵し、泳動開始時間からの経過時間を測定することができる。そして、経過時間とＤＮＡの吸光度のピークをプロットすることで、正常ＤＮＡと変異ＤＮＡの検出が可能となる。
【００４０】
このように、本発明の実施の形態における変異遺伝子分離用電気泳動装置について簡単に説明したが、図１４で示した機構以外にも、種々の操作を行うための操作ボタンや、表示パネル或いは筐体、密閉流路２７に各溶液等を導入する吸引ポンプ等が必要に応じて設けられるのは言うまでもない。
【００４１】
また、密閉流路２７に試料ＤＮＡや分離用ＤＮＡコンジュゲート、定量用ＤＮＡコンジュゲート、精製用ＤＮＡコンジュゲート、リニアポリマーゲルの各溶液等を自動で導入する機構を設けてもよい。
【００４２】
更に、密閉流路２７を１本または複数本単位でユニット化し、これを交換用の分離用密閉流路カートリッジとし、各溶液等を予め導入しておき、電気泳動部２０を構成してもよい。
【００４３】
本発明の実施の形態における変異遺伝子分離用電気泳動装置について、その装置構成の一例を説明したが、本発明は、１塩基以上の変異遺伝子と正常遺伝子との間に泳動速度差を生じさせるための分離用ＤＮＡコンジュゲートを用いるコンジュゲート法において、分離用ＤＮＡコンジュゲートが満たされた密閉流路よりも前（試料ＤＮＡの電気泳動方向における手前、上流側）の密閉流路部分に、定量用ＤＮＡコンジュゲート、精製用ＤＮＡコンジュゲートを配置することが特徴である。
【００４４】
コンジュゲート法においては、元来２本鎖である染色体由来のＤＮＡをあらかじめ１本鎖に加工しておく必要があり、分離用ＤＮＡコンジュゲートを用いて泳動速度差を生じさせる部分では分離用ＤＮＡコンジュゲートの配列と相補しあう配列を有した側の１本鎖試料ＤＮＡのみで泳動を行わせる必要がある。さらに、正確な解析のためには一定量のＤＮＡを供給することが求められている。また、解析に用いる１本鎖試料ＤＮＡを相補する、解析に無関係の側の１本鎖ＤＮＡや意図せずに混入した測定におけるノイズ物質（ＤＮＡ、ＲＮＡ、タンパク質等々）を除去しておく必要が生じる場合もある。これらの課題をそれぞれ解決するために以下の構成を見出した。
【００４５】
２本鎖ＤＮＡを解析に用いるために、その水素結合を切断し１本鎖ＤＮＡにそれぞれ分けた後に、解析に用いない側の１本鎖ＤＮＡのみを補足することを目的として密閉流路の前部に分離用ＤＮＡコンジュゲートの塩基配列よりも有意に長く、解析に用いない側の１本鎖ＤＮＡの塩基配列を相補することができる精製用ＤＮＡコンジュゲートを充填しておく。
【００４６】
さらに、密閉流路の最前列部分に２本鎖試料ＤＮＡを加温して１本鎖ＤＮＡにすることを目的として９０℃以上に試料ＤＮＡを加温することが可能なヒーター等の加熱装置を取り付ける。
【００４７】
また、解析しようとする１本鎖試料ＤＮＡの適量を密閉流路に送り込むために、分離用ＤＮＡコンジュゲートが充填された密閉流路の前部に分離用ＤＮＡと同じ側の配列を持ち、分離用ＤＮＡより有意に長く、常温においては１本鎖試料ＤＮＡを捕捉してしまう程度の塩基長を有する定量用ＤＮＡコンジュゲートを一定量充填しておく。この定量用ＤＮＡコンジュゲートの部分には、加熱を行うためのヒーターを配して、解析を開始したいときに加熱を行い、定量用ＤＮＡコンジュゲートから１本鎖試料ＤＮＡを乖離させる。これにより、分離用ＤＮＡコンジュゲートの充填された密閉流路に一定量の１本鎖試料ＤＮＡを供給することが可能になる。
【００４８】
また、これらのコンジュゲートで用いている、精製用ＤＮＡ、定量用ＤＮＡおよび分離用ＤＮＡは、密閉流路中に擬似固定（電気泳動ではほとんど動かないおもりの役目をはたす、「コンジュゲート」をつけて流路内に浮遊させておく）することなく、密閉流路の壁面に加温では剥がれ落ちない程度の強度で結合させておくということも可能である。
【００４９】
次に、本発明の実施の形態における変異遺伝子分離用電気泳動装置に用いる各種ＤＮＡについて図１〜図４を用いて説明する。
【００５０】
図１は本発明の実施の形態における正常型の２本鎖試料ＤＮＡを示す模式図、図２は本発明の実施の形態における変異型の２本鎖試料ＤＮＡを示す模式図、図３は本発明の実施の形態における正常型および変異型の１本鎖試料ＤＮＡを示す模式図、図４は本発明の実施の形態における正常型および変異型の１本鎖相補ＤＮＡを示す模式図である。
【００５１】
図１において、１は、一例として、正常型２本鎖試料ＤＮＡを示している。図１に示すように、正常型２本鎖試料ＤＮＡ１は、アデニン（Ａ）の配列に対してチミン（Ｔ）が相補する形になっている。
【００５２】
また、図２において、２は変異型２本鎖試料ＤＮＡであり、３は変異塩基である。図２に示すように、変異型２本鎖試料ＤＮＡ２においては、アデニンの配列の一箇所がグアニン（Ｇ）に変化し、変異塩基３を有し、このグアニンに対してシトシン（Ｃ）が相補する形になっている。
【００５３】
このように、解析したい２種の試料ＤＮＡはこの１塩基の違いにより正常型と変異型に区別されている。
【００５４】
「変異遺伝子分離方法」は、正常（基準）な塩基配列に対してその中の１塩基またはそれ以上の塩基の違いがある場合（変異）に、分離用ＤＮＡコンジュゲートと混合して電気泳動することで泳動速度の差を生じさせ、その泳動の挙動を観察することで正常型に対して変異型が混入しているかどうかを解析するものである。その場合、解析に用いるのは２本鎖ＤＮＡのうちにどちらか一方の側のみである。
【００５５】
図３において、４は正常型１本鎖試料ＤＮＡ、５は変異型１本鎖試料ＤＮＡを示し、これら正常型１本鎖試料ＤＮＡ４と、変異型１本鎖試料ＤＮＡ５は、解析対象となる（本発明の実施の形態において解析対象とする）１本鎖のＤＮＡである。
【００５６】
また、図４において、６は正常型１本鎖相補ＤＮＡ、７は変異型１本鎖相補ＤＮＡを示す。これらは、解析に用いない側の１本鎖のＤＮＡであり、図３で示した、解析対象となる正常型１本鎖試料ＤＮＡ４、変異型１本鎖試料ＤＮＡ５を相補する配列を有している。
【００５７】
次に、本発明の実施の形態における変異遺伝子分離用電気泳動装置に用いる各種ＤＮＡコンジュゲート（ＤＮＡ結合物質）について図５〜図７を用いて説明する。
【００５８】
ここで、図５は本発明の実施の形態における分離用ＤＮＡコンジュゲートを示す模式図、図６は本発明の実施の形態における定量用ＤＮＡコンジュゲートを示す模式図、図７は本発明の実施の形態における精製用ＤＮＡコンジュゲートを示す模式図である。
【００５９】
図５において、８は高分子物質、９は分離用ＤＮＡコンジュゲート、９ａは塩基配列である。図５に示すように、高分子物質８と塩基配列９ａとが結合し、分離用ＤＮＡコンジュゲート９が構成される。そして、分離用ＤＮＡコンジュゲート９の塩基配列９ａは、解析しようとする側の正常型１本鎖試料ＤＮＡ４と変異型１本鎖試料ＤＮＡ５のどちらか一方を完全に相補する配列となっている。図５の例では、変異型（変異型１本鎖試料ＤＮＡ５）を完全相補するもので、正常型の配列とは１塩基異なっている。このとき用いる塩基の数は、４〜１２程度であり解析しようとする１本鎖試料ＤＮＡの塩基数やＤＮＡ結合制御剤の濃度に依存して最適な塩基数を決定する。
【００６０】
ここで、このような分離用ＤＮＡコンジュゲート９の作成・合成方法について説明する。まず、ビニル化ＤＮＡを合成するために、ＰＣＲによって、分離用ＤＮＡコンジュゲート９用のＤＮＡを切り出す。ここでは、塩基配列９ａが分離用ＤＮＡコンジュゲート９のＤＮＡである。次に、目的の塩基配列９ａを有するＤＮＡの５’末端をアミノ化（通常は、ヘキシル基を介してアミノ化）する。このようにして得られたアミノ化ＤＮＡを２．６ｍＭになるように滅菌した超純水を加えて希釈する。次いで、ＭＯＳＵ（メタクリロイドオキシスクシンイミド）を７１．３８８ｍＭになるようにＤＭＳＯ（ディメチルスルオキシド）で希釈する。そして、このようにして得たアミノ化ＤＮＡとＭＯＳＵを１：５０の比率になるように加えて調整する。さらに、この調整溶液に対して、ｐＨ調整用としてｐＨ９になるように炭酸水素ナトリウムと水酸化ナトリウムで調整した溶液を、アミノ化ＤＮＡの量と等量加える。
【００６１】
そして、得られた溶液を一晩振とうする。その後、ＨＰＬＣ（Ｈｉｇｈ  Ｐｅｒｆｏｒｍａｎｃｅ  Ｌｉｑｕｉｄ  Ｃｈｒｏｍａｔｏｇｒａｐｈｙ：高速液体クロマトグラフィー）を使用して、振とうした溶液中のビニル化ＤＮＡを、アミノ化ＤＮＡ，ＭＯＳＵ，その他と分離する。ビニル化ＤＮＡは溶離液（ＴＥＡＡ；トリエチルアミンー酢酸とアセトニトリルの混合溶液）を含んでいるため、さらに真空乾燥機能を持った遠心エバポレーターで減圧濃縮する。
【００６２】
次いで、重合溶液である１０％のＡＡＭ（アクリルアミド）を５３μｍｏｌ窒素置換する。さらに、重合開始剤である１．３４％のＴＥＭＤ（Ｎ，Ｎ，Ｎ’Ｎ’−テトラメチルエチレンジアミン）を超音波で脱気した滅菌超純水で希釈する。これを重合開始剤である１．３４％のＡＰＳ（過硫酸アンモニウム）を同じく超音波で脱気した滅菌超純水で希釈する。さらに濃縮したビニル化ＤＮＡを滅菌した超純水で希釈する。そして、１００μｌの分離用ＤＮＡコンジュゲート９を合成するために、上記のＡＡＭを３４μｌ、上記のＴＥＭＤとＡＰＳを各々５μｌ、ビニル化ＤＮＡがＡＡＭに対して０．０１％モル〜０．０５％モルになるように加え、１００μｌになるように滅菌超純水を追加して、６０分程度放置しておくとアクリルアミド化された分離用ＤＮＡコンジュゲート９が得られる。
【００６３】
即ち、この場合では、分離用ＤＮＡコンジュゲート９は、ＡＭＭとＤＮＡ（塩基配列９ａ）とを重合させて合成されるので、分離用ＤＮＡコンジュゲート９は、ポリアクリルアミド（高分子物質８）と、ＤＮＡ（塩基配列９ａ）とが結合したものである。また、未反応のビニル化ＤＮＡを除去するために、適当な大きさの孔径選択したゲルろ過を数十回に分けて行うと、純度の高い分離用ＤＮＡコンジュゲート９が得られる。
【００６４】
なお、この分離用ＤＮＡコンジュゲート９の作成・合成方法は、後述する定量用ＤＮＡコンジュゲート（１０）、精製用ＤＮＡコンジュゲート（１１）についても適用され、分離用ＤＮＡコンジュゲート９と、定量用ＤＮＡコンジュゲート（１０）、精製用ＤＮＡコンジュゲート（１１）とは、高分子物質８に結合する塩基配列が異なるだけであり、同様の方法で合成される。
【００６５】
なお、ＰＣＲなどで取り出した目的のＤＮＡは塩基数でいうと６個程度〜１０００個程度であるが、約３０億塩基対あるといわれるヒト・ゲノムＤＮＡの中に、同じＤＮＡ配列が存在しないと確率的に考えられる個数としては、５０個程度であればよい。しかし、これは総数が５０個程度あればよいということであるから、数回に分けてＤＮＡを切り取る場合は６個〜１２個ずつに分けるのでもよい。そして、実験によれば、本変異遺伝子分離用電気泳動装置で正常ＤＮＡと１塩基違いの変異ＤＮＡを分離する場合、塩基の個数は６個〜１２個が最も効率よく分離できるという結果を得ている。ただ、この変異ＤＮＡの分離は試料ＤＮＡの濃度（μＭ、但し、Ｍ＝モル／リットル）、分離用ＤＮＡコンジュゲート９のＤＮＡ（塩基配列９ａ）の濃度（モル％）、測定温度、その他と密接な関係があるため、適正な条件にしないと分離が起こらないから、このような条件を設定することができるか否かに留意する必要がある。例えば、試料ＤＮＡの濃度は１〜１０（μＭ）が適当であり、分離用ＤＮＡコンジュゲート９に含まれるＤＮＡ（塩基配列９ａ）が、基本となるリニアポリマー（ポリアクリルアミド、高分子物質８）のモルに対して０．０００２〜０．０５（モル％）程度が適当であるが、分離用ＤＮＡコンジュゲート９のＤＮＡ（塩基配列９ａ）総量は、試料ＤＮＡの濃度の２０〜６００倍とするのが望ましい。以上説明したように本変異遺伝子分離用電気泳動装置の試料ＤＮＡはＰＣＲなどにより前処理によって得られる６個程度〜１０００個程度の塩基配列を持つ試料ＤＮＡが必要であり、適正な条件設定が必要である。
【００６６】
また、図６において、８は高分子物質、１０は定量用ＤＮＡコンジュゲート、１０ａは塩基配列である。図６に示すように、高分子物質８と塩基配列１０ａとが結合し、定量用ＤＮＡコンジュゲート１０が構成される。定量用ＤＮＡコンジュゲート１０に用いられている塩基配列１０ａは、図３で示した、解析しようとする側の正常型１本鎖試料ＤＮＡ４と変異型１本鎖試料ＤＮＡ５のどちらとも完全に相補しあう配列となっており、塩基数は６〜１００程度であり同時に用いる分離用ＤＮＡコンジュゲート９の塩基配列９ａよりも明らかに長鎖のＤＮＡが用いられる。解析に供されるときの塩基数は、１本鎖試料ＤＮＡの塩基数やＤＮＡ結合制御剤の濃度に依存して決める。
【００６７】
また、図７において、８は高分子物質、１１は精製用ＤＮＡコンジュゲート、１１ａは塩基配列である。図７に示すように、高分子物質８と塩基配列１１ａとが結合し、精製用ＤＮＡコンジュゲート１１が構成される。精製用ＤＮＡコンジュゲート１１に用いられている塩基配列１１ａは、図４で示した、解析を目的としない側の正常型１本鎖相補ＤＮＡ６と変異型１本鎖相補ＤＮＡ７のどちらとも完全に相補しあう配列となっており、塩基数は１０〜１００程度であり同時に用いる分離用ＤＮＡコンジュゲート９の塩基配列９ａよりも明らかに長鎖のＤＮＡが用いられる。解析に供されるときの塩基数は、１本鎖相補ＤＮＡの塩基数やＤＮＡ結合制御剤の濃度に依存して決める。
【００６８】
以下に、図１〜図７で説明したＤＮＡやＤＮＡコンジュゲートを用い変異遺伝子を効率よく分離するための変異遺伝子分離用電気泳動装置における密閉流路内の構成を説明する。
【００６９】
（実施の形態１）
図８は本発明の実施の形態１における変異遺伝子分離用電気泳動装置の密閉流路を示す要部断面図である。図８において、１２は密閉流路である。密閉流路１２は、図１４において、概ね電気泳動部２０近傍の密閉流路２７の一部分に相当するが、説明の便宜上符号を変えているだけであり、両者は実質的に同じものを示す。１３はリニアポリマーゲルである。なお、図８中の矢印は電気泳動方向を示している。
【００７０】
図８には、電気泳動用キャピラリー管または板状部材に形成された微細密閉流路等で構成される密閉流路１２が示されている。そして、密閉流路１２の中には、リニアポリマーとＤＮＡ結合制御剤を含む緩衝液からなるリニアポリマーゲル１３が充たされており、さらに流路中に精製用ＤＮＡコンジュゲート１１と分離用ＤＮＡコンジュゲート９が配置されている。
【００７１】
分離用ＤＮＡコンジュゲート９は、上述したように、解析しようとする２本鎖ＤＮＡ（変異型２本鎖試料ＤＮＡ２）のうち、測定に用いようとする側の１本鎖試料ＤＮＡ（変異型１本鎖試料ＤＮＡ５）と水素結合可能な相同塩基配列を有する１本鎖ＤＮＡ（塩基配列９ａ）と高分子物質８とが結合し、相同性の程度の差から試料ＤＮＡを正常ＤＮＡ（正常型１本鎖試料ＤＮＡ４）と変異ＤＮＡ（変異型１本鎖試料ＤＮＡ５）とに分離することが可能であり、コンジュゲート法の基本となるものである。
【００７２】
そして、この分離用ＤＮＡコンジュゲート９の前（試料ＤＮＡの電気泳動方向の手前側）に、分離しようとする１本鎖試料ＤＮＡ（正常型１本鎖試料ＤＮＡ４と変異型１本鎖試料ＤＮＡ５）に相補する、測定には用いない側の１本鎖ＤＮＡ（正常型１本鎖相補ＤＮＡ６と変異型１本鎖相補ＤＮＡ７）を相補し捕捉することが可能な塩基配列を有した１本鎖ＤＮＡ（塩基配列１１ａ）と高分子物質８とが結合した精製用ＤＮＡコンジュゲート１１が配されている。
【００７３】
ここで用いられる精製用ＤＮＡ（塩基配列１１ａ）は、分離用ＤＮＡ（塩基配列９ａ）より有意に長く、一度捕捉すると電気泳動中に容易には１本鎖に戻ることはない塩基数を有している。すなわち塩基数で８塩基以上１００塩基以下の塩基数を持つ。
【００７４】
精製用ＤＮＡ（塩基配列１１ａ）に結合している物質（高分子物質８）は、精製用ＤＮＡ（塩基配列１１ａ）および捕捉しようとする１本鎖ＤＮＡ（正常型１本鎖相補ＤＮＡ６と変異型１本鎖相補ＤＮＡ７）よりも有意に大きな分子量を持つ。
【００７５】
このような構成を持つ密閉流路１２を使用して電気泳動を行わせることにより、相補しあっている２本鎖ＤＮＡのうち解析に用いない側の１本鎖ＤＮＡ（不用なＤＮＡ）をあらかじめ密閉流路１２の前部で捕捉することができ、アフィニティーの差で変異遺伝子と正常遺伝子の泳動速度差を利用して解析を行う、分離用ＤＮＡコンジュゲート９の充填されている流路部分には測定に用いる１本鎖試料ＤＮＡ（正常型１本鎖試料ＤＮＡ４と変異型１本鎖試料ＤＮＡ５）のみを電気泳動により供給することが可能になる。このとき密閉流路２７に充填されている精製用ＤＮＡコンジュゲート１１の量は、供給される試料ＤＮＡの量よりもはるかに多いことが望ましいが、最低でも等量より多いことが要求される。
【００７６】
なお、ここで用いられている分離用ＤＮＡコンジュゲート９とは、正常ＤＮＡとそれと同じ塩基数であるが、１塩基以上の配列の違いを有する変異ＤＮＡとを電気泳動法により密閉流路内を同時に移動させたときに、分離用ＤＮＡコンジュゲート内に存在している、正常ＤＮＡまたは変異ＤＮＡどちらか一方に対してだけ完全に相同な塩基配列との水素結合力の違いを利用して正常または変異ＤＮＡとを分離することのできる物質のことを指す。本物質は、判定しようとするＤＮＡよりも常に大きな分子量を持つことを特徴としている。
【００７７】
（実施の形態２）
図９は本発明の実施の形態２における変異遺伝子分離用電気泳動装置の密閉流路を示す要部断面図である。図９において、１４は加熱装置である。図９中の矢印は電気泳動方向を示している。
【００７８】
図９に示すように、実施の形態１で説明した密閉流路１２の最前部に、流路中に存在している２本鎖試料ＤＮＡを９０℃以上まで加温することが可能な加熱装置１４を有し、電気泳動中の２本鎖試料ＤＮＡを１本鎖に分離する構成となっている。
【００７９】
本実施の形態２では、密閉流路１２の最前部に、泳動中の２本鎖試料ＤＮＡを９０℃以上まで加温することが可能な加熱装置１４を配したことで、染色体やＰＣＲで増幅した２本鎖ＤＮＡを密閉流路１２中に入れて泳動を開始した後に、２本鎖ＤＮＡの水素結合を切断して、１本鎖ＤＮＡに分けそのまま泳動することで、精製用ＤＮＡコンジュゲート１１が充填されている流路に１本鎖試料ＤＮＡ（正常型１本鎖試料ＤＮＡ４と変異型１本鎖試料ＤＮＡ５）とそれを相補する解析に用いない側の１本鎖ＤＮＡ（正常型１本鎖相補ＤＮＡ６と変異型１本鎖相補ＤＮＡ７）をそれぞれ別々に供給することが可能である。その後、精製用ＤＮＡコンジュゲート１１に解析に用いない側の１本鎖ＤＮＡ（正常型１本鎖相補ＤＮＡ６と変異型１本鎖相補ＤＮＡ７）が捕捉される。
【００８０】
なお、このとき密閉流路１２に充填されている精製用ＤＮＡコンジュゲート１１の量は、供給される試料ＤＮＡの量よりもはるかに多いことが望ましいが、最低でも等量より多いことが要求される。
【００８１】
更に泳動が行われることにより、解析のために分離用ＤＮＡコンジュゲート９が充填されている流路部分に、解析を目的としている変異型あるいは正常型の１本鎖試料ＤＮＡ（正常型１本鎖試料ＤＮＡ４と変異型１本鎖試料ＤＮＡ５）をノイズを含まない状態で供給することができる。
【００８２】
本発明の基本になる解析方法（コンジュゲート法）では、変異型遺伝子の有無を調べることは、１本鎖試料ＤＮＡによって行われるが、本実施の形態２により、試料ＤＮＡが２本鎖であっても密閉流路中にそのまま２本鎖ＤＮＡを投入しても、２本鎖から１本鎖への分離および解析に用いない側の遺伝子の捕捉を連続的に行うことにより、ノイズのない正確な解析を行うことが可能になる。
【００８３】
（実施の形態３）
図１０は本発明の実施の形態３における変異遺伝子分離用電気泳動装置の密閉流路を示す要部断面図である。図１０において、１５は加熱装置である。図１０中の矢印は電気泳動方向を示している。
【００８４】
図１０に示すように、密閉流路１２には、分離用ＤＮＡコンジュゲート９の前に、分離しようとする１本鎖試料ＤＮＡ（正常型１本鎖試料ＤＮＡ４と変異型１本鎖試料ＤＮＡ５）を相補し、強く捕捉することが可能な、分離用ＤＮＡ（塩基配列９ａ）より長鎖の塩基配列を有した１本鎖ＤＮＡ（塩基配列１０ａ）と高分子物質８とが結合した定量用ＤＮＡコンジュゲート１０を配し、さらに定量用ＤＮＡコンジュゲート１０が充填された部分を６０℃以上の高温にすることが可能な加熱装置１５を備えた構成である。
【００８５】
本実施の形態３では、分離用ＤＮＡコンジュゲート９を充填させている密閉流路１２の前部に分離用ＤＮＡ（塩基配列９ａ）と同じ側の塩基配列１０ａを持ち、分離用ＤＮＡ（塩基配列９ａ）よりも有意に長い塩基数を有し、高分子の物質（高分子物質８）とが結合した、定量用ＤＮＡコンジュゲート１０を充填している。
【００８６】
この定量用ＤＮＡコンジュゲート１０は、８〜１００の塩基数をもち、この流路部分を泳動している変異型１本鎖試料ＤＮＡ５および正常型１本鎖試料ＤＮＡ４のどちらも常温あるいは常温からプラスマイナス１０度の範囲で完全に捕捉する事が可能なものである。加えて、この定量用ＤＮＡコンジュゲート１０が充填されている流路には、流路中の物質を少なくとも６０℃以上に昇温することが可能なヒーター等の加熱装置１５が備え付けられている。
【００８７】
これらの構成により、密閉流路１２に解析しようとする変異型あるいは正常型またはそれらが混合した１本鎖試料ＤＮＡ（正常型１本鎖試料ＤＮＡ４と変異型１本鎖試料ＤＮＡ５）が供給され電気泳動が行われた場合、まず１本鎖試料ＤＮＡ（正常型１本鎖試料ＤＮＡ４と変異型１本鎖試料ＤＮＡ５）は定量用ＤＮＡコンジュゲート１０で捕捉され泳動が止まる。
【００８８】
さらに泳動を継続することで定量用ＤＮＡコンジュゲート１０に捕捉されなかった余分の１本鎖試料ＤＮＡや１本鎖試料ＤＮＡに混在していたノイズ物質、例えば１本鎖試料ＤＮＡを相補する側の１本鎖ＤＮＡ（正常型１本鎖相補ＤＮＡ６と変異型１本鎖相補ＤＮＡ７）や試料ＤＮＡとは別種のＤＮＡ、ＲＮＡ、タンパク質等々が先に泳動され、流路が精製され、解析の精度を向上することが可能になる。
【００８９】
流路に存在していたノイズ物質を流し去った後、加熱装置１５を用い、定量用ＤＮＡコンジュゲート１０およびその物質に捕捉されている１本鎖試料ＤＮＡ（正常型１本鎖試料ＤＮＡ４と変異型１本鎖試料ＤＮＡ５）を加熱する。定量用ＤＮＡ（塩基配列１０ａ）の塩基数と１本鎖試料ＤＮＡ（正常型１本鎖試料ＤＮＡ４と変異型１本鎖試料ＤＮＡ５）の長さによって、その親和性は異なるが、ある温度まで上昇した時にいっせいに２本鎖ＤＮＡの乖離がおこり定量用ＤＮＡの濃度に依存して、一定量の１本鎖試料ＤＮＡ（正常型１本鎖試料ＤＮＡ４と変異型１本鎖試料ＤＮＡ５）が解析のために分離用ＤＮＡコンジュゲート９を充填してある密閉流路１２へと泳動を開始する。
【００９０】
本実施の形態３により、解析を行おうとする１本鎖試料ＤＮＡに混在している各種ノイズ物質の除去と、解析のために供給する１本鎖試料ＤＮＡの量を一定化することが可能になり、解析の精度と再現性を向上させることができる。
【００９１】
（実施の形態４）
図１１は本発明の実施の形態４における変異遺伝子分離用電気泳動装置の密閉流路を示す要部断面図である。図１１中の矢印は電気泳動方向を示している。
【００９２】
図１１に示すように、実施の形態３で説明した密閉流路１２の最前部に、実施の形態１および実施の形態２で述べたものと同じ、分離しようとする１本鎖試料ＤＮＡ（正常型１本鎖試料ＤＮＡ４と変異型１本鎖試料ＤＮＡ５）の測定には用いない側の１本鎖ＤＮＡ（正常型１本鎖相補ＤＮＡ６と変異型１本鎖相補ＤＮＡ７）を相補し捕捉することが可能な塩基配列を有した１本鎖ＤＮＡ（塩基配列１１ａ）と高分子物質８とが結合した精製用ＤＮＡコンジュゲート１１が配されている。
【００９３】
本実施の形態４では、分離用ＤＮＡコンジュゲート９を充填させている密閉流路１２の前部に分離用ＤＮＡ（塩基配列９ａ）と同じ側の塩基配列１０ａを持ち、分離用ＤＮＡ（塩基配列９ａ）よりも有意に長い塩基数を有し、高分子物質８とが結合した、定量用ＤＮＡコンジュゲート１０を充填している。この定量用ＤＮＡコンジュゲート１０は、８〜１００の塩基数をもち、この流路部分を泳動している変異型１本鎖試料ＤＮＡ５および正常型１本鎖試料ＤＮＡ４のどちらも常温あるいは常温からプラスマイナス１０度の範囲で完全に捕捉する事が可能なものである。
【００９４】
加えて、この定量用ＤＮＡコンジュゲート１０が充填されている流路には、流路中の物質を少なくとも６０℃以上に昇温することが可能な加熱装置１５が備え付けられている。さらに、それらの前部に分離しようとする１本鎖試料ＤＮＡ（正常型１本鎖試料ＤＮＡ４と変異型１本鎖試料ＤＮＡ５）の測定には用いない側の１本鎖ＤＮＡ（正常型１本鎖相補ＤＮＡ６と変異型１本鎖相補ＤＮＡ７）を相補し捕捉することが可能な塩基配列１１ａを有した１本鎖ＤＮＡおよび試料ＤＮＡより高分子の物質（高分子物質８）とが結合した精製用ＤＮＡコンジュゲート１１を配した構成である。
【００９５】
ここで用いられる精製用ＤＮＡ（塩基配列１１ａ）は、分離用ＤＮＡ（塩基配列９ａ）より有意に長く、一度捕捉すると電気泳動中に容易には１本鎖に戻ることはない塩基数を有している。すなわち塩基数で８塩基以上１００塩基以下の塩基数を持つ。精製用ＤＮＡ（塩基配列１１ａ）に結合している物質は精製用ＤＮＡ（塩基配列１１ａ）および捕捉しようとする１本鎖ＤＮＡ（正常型１本鎖相補ＤＮＡ６と変異型１本鎖相補ＤＮＡ７）よりも有意に大きな分子量を持つ。
【００９６】
なお、このとき密閉流路１２に充填されている精製用ＤＮＡコンジュゲート１１の量は、供給される試料ＤＮＡの量よりもはるかに多いことが望ましいが、最低でも等量より多いことが要求される。
【００９７】
これらの構成により、本実施の形態４における密閉流路１２に解析しようとする変異型あるいは正常型またはそれらが混合した２本鎖ＤＮＡ（正常型２本鎖試料ＤＮＡ１と変異型２本鎖試料ＤＮＡ２）を加熱等で１本鎖に分離した混合試料ＤＮＡが供給され電気泳動が行われた場合、まず密閉流路最前部で１本鎖ＤＮＡ混合物のうち測定には用いない側の１本鎖ＤＮＡ（正常型１本鎖相補ＤＮＡ６と変異型１本鎖相補ＤＮＡ７）が精製用ＤＮＡコンジュゲート１１で捕捉される。測定には用いない側の１本鎖ＤＮＡ（正常型１本鎖相補ＤＮＡ６と変異型１本鎖相補ＤＮＡ７）が捕捉されるため、解析を行おうとする１本鎖試料ＤＮＡ（正常型１本鎖試料ＤＮＡ４と変異型１本鎖試料ＤＮＡ５）のみが泳動される。
【００９８】
続いて密閉流路１２の中間部に位置する部分まで１本鎖試料ＤＮＡ（正常型１本鎖試料ＤＮＡ４と変異型１本鎖試料ＤＮＡ５）が到達し、そこで定量用ＤＮＡコンジュゲート１０に用いられている定量用ＤＮＡの塩基配列１０ａとの相補性により１本鎖試料ＤＮＡ（正常型１本鎖試料ＤＮＡ４と変異型１本鎖試料ＤＮＡ５）が捕捉され泳動が止まる。このとき定量用ＤＮＡコンジュゲート１０の量を一定化することで、思い通りの１本鎖試料ＤＮＡ量をとどめておくことが可能になる。さらに電気泳動を継続することで試料ＤＮＡに混在していた捕捉されなかった１本鎖試料ＤＮＡの残りや各種ノイズ物質、例えば試料ＤＮＡとは別種のＤＮＡやＲＮＡそしてタンパク質等々が先に泳動され、流路が精製され、解析の精度を向上することが可能になる。流路に存在していた残渣１本鎖試料ＤＮＡやノイズ物質を流し去った後、加熱装置１５を用い、定量用ＤＮＡコンジュゲート１０およびその物質に捕捉されている１本鎖試料ＤＮＡ（正常型１本鎖試料ＤＮＡ４と変異型１本鎖試料ＤＮＡ５）を加熱する。定量用ＤＮＡ（塩基配列１０ａ）の塩基数と１本鎖試料ＤＮＡ（正常型１本鎖試料ＤＮＡ４と変異型１本鎖試料ＤＮＡ５）の長さによって、その親和性は異なるが、ある温度まで上昇した時にいっせいに２本鎖ＤＮＡの乖離がおこり定量用ＤＮＡの濃度に依存して、一定量の１本鎖試料ＤＮＡ（正常型１本鎖試料ＤＮＡ４と変異型１本鎖試料ＤＮＡ５）が解析のために分離用ＤＮＡコンジュゲート９を充填してある最後部の密閉流路１２へと泳動を開始する。
【００９９】
本実施の形態４により、解析を行おうとする１本鎖試料ＤＮＡ（正常型１本鎖試料ＤＮＡ４と変異型１本鎖試料ＤＮＡ５）に混在している測定には用いない側の１本鎖ＤＮＡ（正常型１本鎖相補ＤＮＡ６と変異型１本鎖相補ＤＮＡ７）および定量的に捕捉した残り１本鎖ＤＮＡそして各種ノイズ物質の除去が可能になり、さらに解析のために供給する１本鎖試料ＤＮＡ（正常型１本鎖試料ＤＮＡ４と変異型１本鎖試料ＤＮＡ５）の量を一定化することで、解析の精度と再現性を向上させることができる。
【０１００】
（実施の形態５）
図１２は本発明の実施の形態５における変異遺伝子分離用電気泳動装置の密閉流路を示す要部断面図である。図１２中の矢印は電気泳動方向を示している。
【０１０１】
図１２に示すように、実施の形態４で説明した密閉流路１２の最前部に、流路中の２本鎖ＤＮＡを９０℃以上まで加温することが可能な加熱装置１５を有し、泳動中の初期段階に２本鎖試料ＤＮＡを１本鎖に分離する構成である。
【０１０２】
この構成により、本発明における密閉流路に解析しようとする変異型あるいは正常型またはそれらが混合した２本鎖ＤＮＡ（正常型２本鎖試料ＤＮＡ１と変異型２本鎖試料ＤＮＡ２）を加熱等で１本鎖に分離した混合試料ＤＮＡが供給され、電気泳動が行われた場合、まず密閉流路１２最前部で供給された染色体由来またはＰＣＲ等で増幅された２本鎖ＤＮＡが９０℃以上に加温されることで水素結合が切れ、測定に用いられる側の配列を有す１本鎖試料ＤＮＡ（正常型１本鎖試料ＤＮＡ４と変異型１本鎖試料ＤＮＡ５）および測定には用いられない１本鎖相補ＤＮＡ（正常型１本鎖相補ＤＮＡ６と変異型１本鎖相補ＤＮＡ７）に分かれる。
【０１０３】
以降は、実施の形態４で説明した内容と同じであるので説明を省略する。
【０１０４】
本実施の形態５により、試料ＤＮＡが２本鎖であっても密閉流路中にそのまま２本鎖ＤＮＡを投入しても、２本鎖から１本鎖への分離および解析に用いない側の遺伝子の捕捉を連続的に行うことにより、ノイズのない正確な解析を行うことが可能になる。そして、電気泳動装置の密閉流路１２において、２本鎖試料ＤＮＡを１本鎖に分離することができるので、前準備が不要となり、解析効率を向上させることができる。
【０１０５】
（実施の形態６）
図１３は本発明の実施の形態６における変異遺伝子分離用電気泳動装置の密閉流路を示す要部断面図である。図１３中の矢印は電気泳動方向を示している。
【０１０６】
本実施の形態６では、上述した密閉流路１２に充填された三種のＤＮＡコンジュゲート、分離用ＤＮＡコンジュゲート９、精製用ＤＮＡコンジュゲート１１、定量用ＤＮＡコンジュゲート１０のそれぞれに用いられている１本鎖ＤＮＡが、上述したポリアクリルアミド等の高分子物質８に対して結合しているのではなく、密閉流路１２の壁面に固定されている構成である。
【０１０７】
図１３の場合では、精製用ＤＮＡ（塩基配列１１ａ）と、分離用ＤＮＡ（塩基配列９ａ）が壁面に固定され、壁面固定精製用ＤＮＡ１６、壁面固定分離用ＤＮＡ１７が形成されている。そして、定量用ＤＮＡ（塩基配列１０ａ）は、定量用ＤＮＡコンジュゲート１０状態となっている。なお、これらの内少なくとも１種の塩基配列が壁面に固定されていればよい。壁面に固定することによって、長時間泳動や繰り返し泳動を行っても密閉流路１２外へ流れ去ることがなくなり安定性の向上が図れる。
【０１０８】
【発明の効果】
本発明によれば、ＳＮＰをはじめとした変異遺伝子解析のために、電気泳動用密閉流路に目的の試料ＤＮＡを定量的に供給すること、それに加えて密閉流路内で２本鎖試料ＤＮＡを１本鎖化すること、かつ解析に無関係な遺伝子や種々のノイズを除去すること、および解析に要する作業工程を少なくすることで、解析時間の短縮および作業の簡素化、さらに解析結果の精度の向上を実現させた、変異遺伝子分離用電気泳動装置を提供することを可能にする。
【図面の簡単な説明】
【図１】本発明の実施の形態における正常型の２本鎖試料ＤＮＡを示す模式図
【図２】本発明の実施の形態における変異型の２本鎖試料ＤＮＡを示す模式図
【図３】本発明の実施の形態における正常型および変異型の１本鎖試料ＤＮＡを示す模式図
【図４】本発明の実施の形態における正常型および変異型の１本鎖相補ＤＮＡを示す模式図
【図５】本発明の実施の形態における分離用ＤＮＡコンジュゲートを示す模式図
【図６】本発明の実施の形態における定量用ＤＮＡコンジュゲートを示す模式図
【図７】本発明の実施の形態における精製用ＤＮＡコンジュゲートを示す模式図
【図８】本発明の実施の形態１における変異遺伝子分離用電気泳動装置の密閉流路を示す要部断面図
【図９】本発明の実施の形態２における変異遺伝子分離用電気泳動装置の密閉流路を示す要部断面図
【図１０】本発明の実施の形態３における変異遺伝子分離用電気泳動装置の密閉流路を示す要部断面図
【図１１】本発明の実施の形態４における変異遺伝子分離用電気泳動装置の密閉流路を示す要部断面図
【図１２】本発明の実施の形態５における変異遺伝子分離用電気泳動装置の密閉流路を示す要部断面図
【図１３】本発明の実施の形態６における変異遺伝子分離用電気泳動装置の密閉流路を示す要部断面図
【図１４】本発明の実施の形態における変異遺伝子分離用電気泳動装置の装置構成概念図
【符号の説明】
１  正常型２本鎖試料ＤＮＡ
２  変異型２本鎖試料ＤＮＡ
３  変異塩基
４  正常型１本鎖試料ＤＮＡ
５  変異型１本鎖試料ＤＮＡ
６  正常型１本鎖相補ＤＮＡ
７  変異型１本鎖相補ＤＮＡ
８  高分子物質
９  分離用ＤＮＡコンジュゲート
１０  定量用ＤＮＡコンジュゲート
１１  精製用ＤＮＡコンジュゲート
１２，２７  密閉流路
１３  リニアポリマーゲル
１４，１５  加熱装置
１６  壁面固定精製用ＤＮＡ
１７  壁面固定分離用ＤＮＡ
２０  電気泳動部
２１  制御演算部
２２  検出部
２２ａ  Ｄ２ランプ
２２ｂ  フォトダイオード
２２ｃ  プリアンプ
２２ｄ  Ａ／Ｄコンバータ
２３  電源部
２４  緩衝液
２５，２６  容器
２８，２９  電極
【図１】
2004298001.tif 000003
【図２】
2004298001.tif 000004
【図３】
2004298001.tif 000005
【図４】
2004298001.tif 000006
【図５】
2004298001.tif 000007
【図６】
2004298001.tif 000008
【図７】
2004298001.tif 000009
【図８】
2004298001.tif 000010
【図９】
2004298001.tif 000011
【図１０】
2004298001.tif 000012
【図１１】
2004298001.tif 000013
【図１２】
2004298001.tif 000014
【図１３】
2004298001.tif 000015
【図１４】
2004298001.tif 000016